(57)【特許請求の範囲】
【請求項１】
浴槽湯を貯える浴槽（１）と、
該浴槽から浴槽湯を汲み上げる第１汲上循環路（Ｘ１）と、
該第１汲上循環路（Ｘ１） に接続された循環ポンプ（２）と、
該循環ポンプの吐き出し側に接続された浴槽湯の第２汲上循環路（Ｘ２）と、
該 第２汲上循環路に接続された汲上循環路の 第１管路切換え手段（１３）に一端を連結し、他端を浄化装置（４）に接続する浄化連結管路（Ｘ３、Ｘ４ ）と、
該浄化連結管路（Ｘ３、Ｘ４ ）に配置されて浴槽湯を殺菌する殺菌装置（３）と、
前記浄化装置の排出側に一端が接続され他端を還流循環路の管路切換え手段（１２）に接続された第１還流循環路（Ｙ１）と、
前記還流循環路の管路切換え手段（１２）に一端を接続した第２還流循環路（Ｙ２）と、
該第２還流循環路（Ｙ２）から分岐して接続されて浴槽湯を取り込んで加熱して高温湯を貯える温水供給装置（７）と、
該温水供給装置から高温水を供給する高温水供給管路と、前記還流循環路の管路切換え手段（１２）に一端が接続された前記第２還流循環路（Ｙ２）とを接続した混合バルブ（６）と、
該混合バルブ（６）に一端を接続して他端を浴槽内に設けて浴槽湯を浴槽に戻す管路とした第３還流循環路（Ｙ３）と、
前記混合バルブで混合された浴槽湯を前記第３還流循環路（Ｙ３）を介して前記浴槽に戻して浴槽湯を浄化保温する浴水浄化装置であって、
前記第２汲上循環路（Ｘ２）から分岐して接続した汲上循環路の第２管路切換え手段（１０）に一端を連結して、他端を前記第１還流循環路（Ｙ１）が接続された前記還流循環路の管路切換え手段（１２）に接続した連結管路（１１）と、
前記汲上循環路の第１管路切換え手段（１３）に連結して浴槽水を排水するための排水管路（１４）を設け、
浄化循環時には前記汲上循環路の前記第１管路切換え手段（１３）は浄化連結管路（Ｘ３、Ｘ４）を通じた前記浄化装置（４）への通水に切り換え、前記汲上循環路の第２管路切換え手段（１０）は前記連結管路（１１）への通水を遮断すると共に、前記還流循環路の管路切換え手段（１２）は前記連結管路（１１）からの通水を遮断して前記浄化装置（４）からの通水に切り換え、
浄化装置（４）洗浄時には、前記還流循環路の管路切換え手段（１２）は前記連結管路（１１）から前記第１還流循環路（Ｙ１）への通水に切り換えて前記浄化装置（４）への通水を可能にすると共に、前記第２還流循環路（Ｙ２）及び温水供給装置（７）への通水を遮断し、
前記汲上循環路の第２管路切換え手段（１０）を前記第２汲上循環路（Ｘ２）から前記連結管路（１１）への通水に切り換えると共に、前記汲上循環路の第１管路切換え手段（１３）を前記浄化連結管路（Ｘ３、Ｘ４）から前記排水管路（１４）に通水するよう切替えるようにして、前記浄化装置（４）を浴槽湯の逆の流水により洗浄するようにした事を特徴とする浴水浄化装置。
【発明の詳細な説明】
【０００１】
【発明の属する技術分野】
この発明は浴水浄化装置に関し、特に浄化機構自体の洗浄装置を備えた浴水浄化装置に関する。
【０００２】
【従来の技術】
浴槽の浴水を循環ポンプなどにより汲み上げて、これを浄化機構により浄化した上で、再び浴槽に還流するようにした浄化装置が普及している。
このような浄化装置では、循環ポンプを利用して浄化機構に浴水を逆方向に流して洗浄する所謂逆洗機構を備えたものがあり、自動的に浄化機構の目詰まりなどを解消可能になっている。
一方、浴水浄化機構に電気的なヒータ等の加熱装置を設けて、浴水を所定温度に保温する保温機能を設けたものも知られており、更に太陽熱等の他の熱源による高温の熱水を浴水に混入させ、浴水の急速加熱や追焚きを可能にしたものも提案されている。
このような熱水混入タイプのものは、浄化機構の後段の循環路、すなわち還流循環路の最も下流側に混合バルブを設けて、浴水と熱水を混合するようにするのが普通である。
【発明が解決しようとする課題】
しかし、上記したような熱水が混入する還流循環路に、逆洗のために浴水を逆方向に流すと、高い圧力が直接かかるため浴水が熱水側に漏洩する危険があり、特に熱水源が上水道と接続している場合には、浴水が上水道に混入するなどの事故を発生する問題がある。また熱水混入のための混合バルブに循環ポンプからの高圧の吐出圧が直接かかるため、混合バルブの破損を生じる危険がある。
本発明は上記した従来の問題点を解決するためになされたもので、混合バルブの破損や浴水の熱水源側への漏洩などが生じない、浴水浄化装置を提供することを目的とする。
【０００３】
【課題を解決するための手段】
上記目的のために、本発明の洗浄機能を備えた浴水浄化装置は、浴槽湯を貯える浴槽（１）と、該浴槽から浴槽湯を汲み上げる第１汲上循環路（Ｘ１）と、該第１汲上循環路（Ｘ１）に接続された循環ポンプ（２）と、該循環ポンプの吐き出し側に接続された浴槽湯の第２汲上循環路（Ｘ２）と、該第２汲上循環路に接続された汲上循環路の 第１管路切換え手段（１３）に一端を連結し 、他端を浄化装置（４）に接続する浄化連結管路（Ｘ３、Ｘ４ ）と、該浄化連結管路（Ｘ３、Ｘ４ ）に配置されて浴槽湯を殺菌する殺菌装置（３）と、前記浄化装置の排出側に一端が接続され 他端を還流循環路の管路切換え手段（１２）に接続された第１還流循環路（Ｙ１）と、 前記還流循環路の管路切換え手段（１２）に一端を接続した第２還流循環路（Ｙ２）と、該第２還流循環路（Ｙ２）から分岐して接続されて浴槽湯を取り込んで加熱して高温湯を貯える温水供給装置（７）と、該温水供給装置から高温水を供給する高温水供給管路と、前記還流循環路の管路切換え手段（１２）に一端が接続された前記第２還流循環路（Ｙ２）とを接続 した混合バルブ（６）と、該混合バルブ（６）に一端を接続して他端を浴槽内に設けて浴槽湯を浴槽に戻す管路とした第３還流循環路（Ｙ３）と、前記混合バルブで混合された浴槽湯を前記第３還流循環路（Ｙ３）を介して前記浴槽に戻して浴槽湯を浄化保温する浴水浄化装置であって、
前記第２汲上循環路（Ｘ２）から分岐して接続した汲上循環路の第２管路切換え手段（１０）に一端を 連結して、他端を前記 第１還流循環路（Ｙ１）が接続された前記還流循環路の管路切換え手段（１２）に接続した連結管路（１１）と、前記汲上循環路の第１管路切換え手段（１３）に連結して浴槽水を排水するための排水管路（１４）を設け、浄化循環時には前記汲上循環路の前記第１管路切換え手段（１３）は浄化連結管路（Ｘ３、Ｘ４）を通じた前記浄化装置（４）への通水に切り換え 、前記汲上循環路の第２管路切換え手段（１０）は前記連結管路（１１）への通水を遮断すると共に、前記還流循環路の管路切換え手段（１２）は前記連結管路（１１）からの通水を遮断して前記浄化装置（４）からの通水に切り換え、浄化装置（４）洗浄時には、前記還流循環路の管路切換え手段（１２）は前記連結管路（１１）から前記第１還流循環路（Ｙ１）への通水に切り換えて前記浄化装置（４）への通水を可能にすると共に、前記第２還流循環路（Ｙ２）及び温水供給装置（７）への通水を遮断し、前記汲上循環路の第２管路切換え手段（１０）を前記第２汲上循環路（Ｘ２）から前記連結管路（１１）への通水に切り換えると共に、前記汲上循環路の第１管路切換え手段（１３）を前記浄化連結管路（Ｘ３、Ｘ４）から前記排水管路（１４）に通水するよう切替えるようにして、前記浄化装置（４）を浴槽湯の逆の流水により洗浄するようにした事を特徴とすることで課題を解決した。
浴水を逆方向に流す所謂逆洗時には、直結するための管路により循環路から、混合するための手段よりも浄化機構側に浴水が流され、この浴水が浄化機構を逆方向に流れるから、混合するための手段に逆洗浴水の圧力がかかることがない。そのため、混合するための手段の破損や浴水の熱水側への漏洩などが生じることがない。混合するための手段として、混合バルブ等が使用可能である。
【０００４】
【発明の実施の形態】
以下本発明の実施の形態を図面に基づいて説明する。
図１において、浴槽１の浴水は汲上循環路Ｘ１を通って、循環ポンプ２により汲み上げられ、更に汲上循環路Ｘ２、汲上循環路Ｘ３を経由して、殺菌装置３で殺菌され、汲上循環路Ｘ４を経由して浄化装置４で浄化され、更に汲上循環路Ｘ５を経由して加熱装置５で所定温度に加熱されるようになっている。この殺菌装置３と浄化装置４及び加熱装置５で浄化機構を形成している。
加熱装置５の出側からは、還流行程になり、還流循環路Ｙ１と還流循環路Ｙ２を経由して、混合バルブ６に至り、還流循環路Ｙ３を通って、浴槽１に戻されるようになっている。
【０００５】
還流循環路Ｙ２と還流循環路Ｙ３の間には混合バルブ６が介装されており、ここに熱水供給源７が接続し、還流循環路Ｙ２、還流循環路Ｙ３を流れる浴水に高温の熱水を混合して、浴水の保温や加熱を行うようになっている。混合バルブ６は図示しない制御装置により制御されており、必要に応じて熱水供給源７からの熱水の混合、非混合を及び混合割合を調整するようになっている。
【０００６】
熱水供給源７として、この実施形態では深夜電力を利用した蓄熱槽を用いており、浴水を底部から導入して、深夜電力により加熱蓄積して用いるようになっている。
熱水供給源７としては、この他に太陽熱利用のもの等種々のものが使用可能である。
【０００７】
汲上循環路Ｘ３には汲上循環路の第1管路切換手段であるＬ型切替バルブ１３が設けられており、これに排水管路１４が接続し、洗浄時に汲上循環路Ｘ３からの浴水を排水管路１４から排出できるようになっている。
【０００８】
以上の構成において、汲上循環路Ｘ２から分岐した汲上循環路の第2管路切換手段であるＴ型切替バルブ１０を介して連結管路１１が設けられており、この連結管路１１は還流循環路の管路切換手段であるＬ型切替バルブ１２を介して還流循環路Ｙ１に接続している。Ｌ型切替バルブ１２は還流循環路Ｙ１と還流循環路Ｙ２を接続するように設けられている。Ｔ型切替バルブ１０は常態では汲上循環路Ｘ２に対して閉じており、洗浄の時にのみ汲上循環路Ｘ２と連結管路１１を接続するようになっている。なお、Ｔ型切替バルブ１０はジェット機能の時にも使用されるようになっており、汲上循環路Ｘ２とジェット噴水用管路Ｚを接続して、浴水を汲上循環路Ｘ１、汲上循環路Ｘ２、ジェット噴水用管路Ｚと循環させることによりジェット噴流を浴槽１内に起こすことができるようになっている。
【０００９】
Ｌ型切替バルブ１２も常態では、還流循環路Ｙ１と還流循環路Ｙ２を接続し、連結管路１１に対しては閉じられている。洗浄時には、Ｌ型切替バルブ１２は連結管路１１と還流循環路Ｙ１を接続し、還流循環路Ｙ２に対しては閉じるように構成されている。
【００１０】
図２に洗浄時の状態を示す。この状態では、Ｌ型切替バルブ１３は汲上循環路Ｘ３と排水管路１４を接続するように切り替えられている。またＴ型切替バルブ１０は汲上循環路Ｘ２と連結管路１１を接続し、Ｌ型切替バルブ１２は連結管路１１と還流循環路Ｙ１を接続するように切り替えられている。
循環ポンプ２により汲上循環路Ｘ１を介して浴槽１から汲み上げられた浴水は、汲上循環路Ｘ２を通り、Ｔ型切替バルブ１０を経由して連結管路１１を流れる。そして、Ｌ型切替バルブ１２を経由して加熱装置５に通常とは逆方向に流れ込み、加熱装置５の洗浄を行う。次いで、浄化装置４に逆方向から流入して、同様に浄化装置４を洗浄し、更に殺菌装置３を洗浄する。殺菌装置３を出た浴水は汲上循環路Ｘ３からＬ型切替バルブ１３を経由して排水管路１４を通って排出される。
以上の浴水の逆方向の循環により浄化装置４、及び加熱装置５と殺菌装置３の洗浄がなされる。
【００１１】
以上の構成において、浄化機構の洗浄に際しては、循環ポンプ２からの高圧の浴水は連結管路１１からＬ型切替バルブ１２を経由して還流循環路Ｙ１に流入し、混合バルブ６側には全く流れない。そのため、循環ポンプ２に近い高圧の浴水により混合バルブ６が損傷したり、あるいは混合バルブ６から熱水供給源７側へ浴水が漏洩したりすることがなく、安全である。
【００１２】
【発明の効果】
以上説明したように本発明の洗浄機能を備えた浴水浄化装置によれば、熱水を混合する混合バルブを損傷することなく、また浴水の漏洩を生ずることなく、浄化機構の洗浄を行える効果がある。
【図面の簡単な説明】
【図１】本発明の一実施形態の概略図。
【図２】図１の実施形態の洗浄時の状態を示す概略図。
【符号の説明】
１：浴槽、２：循環ポンプ、３：殺菌装置、４：浄化装置、５：加熱装置、６：混合バルブ、７：熱水供給源、１０：汲上循環路の第２管路切換手段（Ｔ型切替バルブ） 、１１：連結管路、１２：還流循環路の管路切換手段（Ｌ型切替バルブ）、１３：汲上循環路の第１管路切換手段（ Ｌ型切替バルブ）、１４：排水管路。
【図１】
0004121041.tif 000002
【図２】
0004121041.tif 000003